(57)【要約】　　　（修正有）【課題】柱本体から各種電気負荷に簡易な手順で電源を供給する。【解決手段】柱本体１は外表面に嵌合孔２を配設しており、嵌合孔２の上端側嵌合縁１１は、第１嵌合突出部１ａを前方に突出形成している。蓋板３を嵌合孔２に閉塞したときは、第１突出部３ａと第１嵌合突出部１ａが接合され突出部分が全体からみれば略半球状に形成されることとなる。下端側嵌合縁１２には、第２嵌合突出部１ｂを後方に突出形成している。蓋板３を嵌合孔２に閉塞したときは、第２突出部３ｂと第２嵌合突出部１ｂが接合され突出部分が全体からみれば略半球状に形成されることとなる。掃除機やその他各負荷に接続されたコード６の端部に固定した差込みプラグ５は、建築物の玄関を清掃する際やイベント又は臨時店舗の設営に際し、各電気負荷等を使用するときこれを前記コンセント４ｂに差込んで使用する。【選択図】図２
0003097978.tif 000002
【実用新案登録請求の範囲】
【請求項１】
一端側に前方又は後方に突出形成した第１突出部及び他端側に該第１突出部と逆方向に突出形成した第２突出部を形成した蓋板と、一端側嵌合縁及び他端側嵌合縁に前記第１突出部及び第２突出部と同方向であって略対称の形状を有する第１嵌合突出部及び第２嵌合突出部を形成し前記蓋板を着脱自在に閉塞又は、開放する柱本体に設けた嵌合孔とを組合せてなることを特徴とする電源供給用柱体の構造。
【考案の詳細な説明】
【０００１】
【考案の属する技術分野】
本考案は、ビルディングやマンション等に於ける建築物の玄関や自動車道路の側道又は歩行道路の側縁に建設した外灯用柱や支柱等各種の電源供給用柱体の構造に関する。
【０００２】
【従来の技術】
従来、この種、電源供給用柱体は存在しておらず、例えば、ビルディングやマンション等の玄関の床面等を清掃する場合は、その壁面等に設置したコンセントにコードを直接接続し、また当該コンセント等を設置していない建築物の場合は別置した自己発電機等により該掃除機に電力を供給するものであった。
また、祝祭日等に於いて、広場や自動車道路の側道又は歩行道路の側縁に臨時に露店や各種イベント等が設営されるときがあり、かかる場合、自己発電機により電源又は電力を供給するものであった。
一方、各種道路の側縁には、外灯用支柱が建設されており、その支柱内に各種ブレーカ等の電気器具を収容することもあり、その電気器具の安全対策や点検のための点検用蓋が該支柱の外周面に設置していた。
【０００３】
【考案が解決しようとする課題】
従来の技術は上述した構造であるので次の課題が存在した。
上述した建築物の玄関の床面を清掃するときや広場に露店又はイベントを設営するとき、コンセントがない場合は、各負荷に電源を供給するためには自己発電機を別途用意する必要があり、取扱いに不便であると共に搬送工数や設備費がかかる上に掃除機を駆動するまで又、各負荷を動作させること及びライト点灯のための準備時間が大幅にかかるという問題点があった。
また、従来の外灯用支柱に設置した点検用蓋は電気器具専用の蓋部材であり電源を供給する手段としては使用できなかった。
【０００４】
【課題を解決するための手段】
本考案は、上述した課題を解決するために案出したものであり、外灯用柱や建築物の玄関等の支柱に着脱自在であって、該柱体の内部に設置した電源部（コンセント等）に接続した差込みプラグ付コードを外部に引出すための一端及び他端に形成した突出部を設けた蓋板を備え、容易かつ迅速にその掃除機等の負荷に電源を供給することを目的としたものであって、次の構成、手段から成立する。
【０００５】
請求項１記載の考案によれば、一端側に前方又は後方に突出形成した第１突出部及び他端側に該第１突出部と逆方向に突出形成した第２突出部を形成した蓋板と、一端側嵌合縁及び他端側嵌合縁に前記第１突出部及び第２突出部と同方向であって略対称の形状を有する第１嵌合突出部及び第２嵌合突出部を形成し前記蓋板を着脱自在に閉塞又は、開放する柱本体に設けた嵌合孔とを組合せてなることを特徴とする電源供給用柱体の構造である。
【０００６】
【考案の実施の形態】
本考案に係る電源供給用柱体の構造に於ける実施の形態について添付図面に基づき詳細に説明する。
【０００７】
図１は、本考案に係る電源供給用柱体の構造の好適な実施の形態を示すものであって斜視図である。
１は、道路の側縁等に設置された外灯用柱や建築物の玄関等の支柱でなる柱本体であって円筒体や角筒体等で構成されている。該柱本体１は図２に示すようにその外周部の所望部位に嵌合孔２を穿孔している。該嵌合孔２は、これを閉塞しかつ開放する蓋板３の形状と略同一形状を有している。例えば、該蓋板３を正面から見て略矩形の場合、該嵌合孔２はこれと略同一の矩形である。しかし、本発明はこれに限定されず、円形や三角形その他多角形であっても差支えないもので要するに、柱本体１の内部に設置する安全ブレーカやコンセント等電気器具が装着できる孔であればよい。
【０００８】
前記蓋板３の上下端又は左右端等その一端３１側は例えば、図２に示すように、第１突出部３ａを前方に突出形成している。該第１突出部３ａは、図１に示すように、例えば、略半球状の下半部を形成している。また、前記蓋板３の一端３１側とは反対に位置する他端３２側は、例えば図２に示すように第２突出部３ｂを後方に突出形成している（前方から見れば、凹陥を形成することになる）。該第２突出部３ｂは図１に示すように、例えば、略半球状の上半部を形成している。
【０００９】
前記蓋板３の一端３１側縁部３ｃの左、右隅及び他端３２側縁部３ｄの左、右隅は該蓋板３を上記柱本体１の嵌合孔２を閉塞するためのビス挿入孔３ｅ、３ｅ、３ｅ、３ｅを穿孔している。一方、前記嵌合孔２の左右の側縁２ａ、２ａはビス挿入用ねじ孔２ｂを該ビス挿入孔３ｅ、３ｅ、３ｅ、３ｅに相応して配設してあって、該蓋板３を閉塞したとき４つのビス３ｆ、３ｆ、３ｆ、３ｆをビス挿入孔３ｅ、３ｅ、３ｅ、３ｅにねじ込み、該蓋板３を該柱本体１に固定する。
尚、ビス３ｆ、ビス挿入孔３ｅ及びビス挿入ねじ孔２ｂは４つに限定されず所望の数であってもよい。
【００１０】
前記柱本体１は空洞状を形成してあり、前記蓋板３の対向位置であって、前記嵌合孔２の背部に固定基板４を配置している。該固定基板４は例えば、矩形状の薄板状絶縁基板で構成され、その表面には電気器具、すなわち、例えば、交流１００Ｖ又は２００Ｖ用の安全ブレーカ４ａや交流電源に接続されたロック式接地防水コンセント４ｂを固定している。
そして、該固定基板４は例えば、図２に示すようにその上、下端の左右隅にボルト４ｃ、４ｃ、４ｃ、４ｃを貫通させ、そのボルト４ｃ、４ｃ、４ｃ、４ｃの下端を前記柱本体１の内壁面に溶接等の手段により固定している。
尚、該固定基板４の背部は上記安全ブレーカ４ａやロック式接地防水コンセント４ｂの配線引廻しのためにスペースを確保している。
【００１１】
また、前記ロック式接地防水コンセント４ｂの上面は不使用のとき、防水カバー（図示せず）を嵌合し、該コンセント４ｂに於ける電気接触部の防錆効果を図っている。上記安全ブレーカ４ａは一種のレバー型スイッチであり、該柱が外灯用柱である場合、外灯を消灯するためにもこれを利用する。
【００１２】
前記柱本体１はその外表面に上記嵌合孔２を配設しており、該嵌合孔２の上下端又は左右端等の一端側嵌合縁１１は、例えば、第１嵌合突出部１ａを前記第１突出部３ａと同方向かつ略対称の形状であってつまり、前方に突出形成している。該第１嵌合突出部１ａは図１に示すように例えば、略半円球状の上半部を形成している。従って、図１に示すように前記蓋板３を嵌合孔２に閉塞したときは、該第１突出部３ａと該第１嵌合突出部１ａが接合され突出部分が全体からみれば略半球状に形成されることとなる。また、前記一端側嵌合縁１１とは反対側に位置する他端側嵌合縁１２には、図２に示すように第２嵌合突出部１ｂを第２突出部３ｂと同方向かつ略対称の形状であって後方に突出形成している（前方から見れば凹陥を形成することになる）。該第２嵌合突出部１ｂは図１に示すように、例えば略半球状の下半部を形成している。従って、図１に示すように前記蓋板３を嵌合孔２に閉塞したときは、該第２突出部３ｂと該第２嵌合突出部１ｂが接合され突出部分が全体からみれば略半球状に形成されることとなる。
【００１３】
図中、５は、例えば掃除機やその他各負荷に接続されたコード６の端部に固定した差込みプラグ等であり、建築物の玄関を清掃する際やイベント又は臨時店舗の設営に際し、各電気負荷等を使用するときこれを前記コンセント４ｂに差込んで使用する。
【００１４】
次に、本考案に係る電源供給用柱体の構造の実施の形態に於ける使用手順や動作等を説明する。
マンション又はビルディング等の建築物の玄関の支柱や道路の側縁等に設置した各種柱に於いて、玄関の清掃を行う前や露店や臨時店舗又はイベント等を設営するとき掃除機又は各負荷を使用しない前は、図１に示すように蓋板３は柱本体１の嵌合孔２に閉塞したままである。このとき、蓋板３の第１突出部３ａと嵌合孔２側の第１嵌合突出部１ａ及び該蓋板３の第２突出部３ｂと嵌合孔２側の第２嵌合突出部１ｂは接合し、前者が突出部が全体として略半球状に前方に突出形成し、後者の突出部が全体として略半球状に後方に突出形成した構成となり、違和感なく、該蓋板３は上記嵌合孔２に嵌着している。
【００１５】
そして、掃除機や各種電気負荷を使用するとき、ドライバー等で例えば４つのビス３ｆを蓋板３より取外して該蓋板３を柱本体１から開放する。次に、図２に示すように、蓋板３の一端３１及び他端３２側を矢視Ａ方向に、すなわち時計方向に１回転する。従って、該蓋板３は図３に示す位置に設定される。つまり、前記第２突出部３ｂが上方に、前記第１突出部３ａが下方に位置する。
ここに於いて、掃除機や各種電気負荷に接続されているコード６を引き込んで差込みプラグ５を把み、柱本体１の内部に予め収容しているコンセント４ｂの差込み口（図示せず）に挿入する。
次に、逆転状態となっている上記蓋板３を嵌合孔２に適合させる。このとき、前記柱本体１側、つまり嵌合孔２側の第１嵌合突出部１ａは柱本体１の前方に突出するが、該蓋板３の第２突出部３ｂは後方に突出することとなり、上方両者の接合部分に断面が略半円状の空間Ｂを形成することとなる。
一方、嵌合孔２側の第２嵌合突出部１ｂは柱本体１の後方に突出するが、該蓋板３の第１突出部３ａは前方に突出することにより、下方両者の接合部分に前記と同様に断面が図４に示すように略半円状の空間Ｂを形成することとなる。そして、下方のこの空間Ｂから掃除機等のコード６が引出し可能になっている。
然るに、本考案は自己発電機や建築物の玄関に各種のコンセント等が設置されていない場合でも、至近距離で掃除機や各種電気負荷に電源を供給することができる。
【００１６】
そして、図４に示すように、逆転状態となった上記蓋板３は、柱本体１の嵌合孔２に適合させ、この開口を閉塞する。蓋板３を嵌合孔２に閉塞した後、該蓋板３の４つのビス挿入孔３ｅ、３ｅ、３ｅ、３ｅを対向する４つのビス挿入ねじ孔２ｂ、２ｂ、２ｂ、２ｂに合致させる。次で、ビス３ｆをそれぞれのビス挿入孔３ｅ、３ｅ、３ｅ、３ｅを介してビス挿入ねじ孔２ｂ、２ｂ、２ｂ、２ｂにねじ込む。而して、蓋板３は嵌合孔２、すなわち柱本体１に固定されることとなる。
【００１７】
図５は、本考案の実施の形態の一例を示すものであって、マンションやビルディングに本考案を適用した構成を示している。７はマンションやビルディングの玄関であり、支柱としての柱本体１を備えている。本例は掃除機等電気負荷を柱本体１に収容しているコンセント４ｂに差込みプラグ５を差込み、そのコード６を上記柱本体１から引出した状態を示す構成である。
尚、上記支柱は該玄関７に所望数個設置し、各種のコードの長さや各種負荷に対応させる構成としてもよい。
【００１８】
本考案に係る電源供給用柱体の構造は上述した構成を有するものであるが、特に、柱本体１が道路の側縁や広場等屋外に設置したポールであるとき、上記柱本体１の一端側嵌合縁１１に形成した第１嵌合突出部１ａ及び蓋板３の一端３１側縁部３ｃに形成した第１突出部３ａは、図４に示すように半球状の上半部の形態を有しており、これがいわゆる雨よけとしての機能を備えている。従って、雨天時等に於いても、空間Ｂ部分が雨滴に晒されることなく、安全ブレーカ４ａやコンセント４ｂ等の電気器具に於ける漏電現象や絶縁不良を防止する。
【００１９】
【考案の効果】
本考案は前述したような構成を有するので、次のような効果を奏する。
すなわち、請求項１記載の考案によれば、一端側に前方又は後方に突出形成した第１突出部及び他端側に該第１突出部と逆方向に突出形成した第２突出部を形成した蓋板と、一端側嵌合縁及び他端側嵌合縁に前記第１突出部及び第２突出部と同方向であって略対称の形状を有する第１嵌合突出部及び第２嵌合突出部を形成し前記蓋板を着脱自在に閉塞又は、開放する柱本体に設けた嵌合孔とを組合せてなることを特徴とする電源供給用柱体の構造を提供する。
このような構成としたので、各種の建築物や外灯の支柱等の外面や外部に電源供給用のコンセント等電源部を備えることなく又、自己発電機等を使用することなくして、容易かつ簡単な手順で各種電気負荷へ電源又は電力を供給することができる効果がある。特に、電源供給前（使用前）には柱本体の外面を通常の柱本体の形状を保持し、電源供給時に該各柱本体からコード等を引出す構成とし、コードを短かく設定できかつ引廻しを容易とする効果がある。加えて、屋外に設置した場合にも雨よけ機能を発揮し、電気器具の劣化を防止すると共に安全対策を万全とする機能を併有する効果がある。
【図面の簡単な説明】
【図１】本考案に係る電源供給用柱体の構造の好適な実施の形態を示すものであって、斜視図である。
【図２】本考案に係る電源供給用柱体の構造の好適な実施の形態を示すものであって、蓋板を柱本体から取外した状態を示す斜視図である。
【図３】本考案に係る電源供給用柱体の構造の好適な実施の形態を示すものであって、蓋板を逆転した状態を示す斜視図である。
【図４】本考案に係る電源供給用柱体の構造の好適な実施の形態を示すものであって、電気負荷のコードを柱本体のコンセントに接続した状態を示す斜視図である。
【図５】本考案に係る電源供給用柱体の構造の好適な実施の形態を示すものであって、建築物の支柱に適用した場合の斜視図である。
【符号の説明】
１　　柱本体
１１　一端側嵌合縁
１２　他端側嵌合縁
１ａ　第１嵌合突出部
１ｂ　第２嵌合突出部
２　　嵌合孔
２ａ　嵌合孔の左右側縁
２ｂ　ビス挿入ねじ孔
３　　蓋板
３１　蓋板の一端
３２　蓋板の他端
３ａ　第１突出部
３ｂ　第２突出部
３ｃ　一端側縁部
３ｄ　他端側縁部
３ｅ　ビス挿入孔
３ｆ　ビス
４　　固定基板
４ａ　安全ブレーカ
４ｂ　コンセント
４ｃ　ボルト
５　　差込みプラグ
６　　コード
７　　玄関
【図１】
0003097978.tif 000003
【図２】
0003097978.tif 000004
【図３】
0003097978.tif 000005
【図４】
0003097978.tif 000006
【図５】
0003097978.tif 000007